(57)【要約】      （修正有）【課題】例えば、プリンター、コピー、ファックス等において配置されたトナー処理関連のローラー若しくはドラムの周面の一部に弾力的かつ密に接触して設置して、主としてトナーの漏洩防止を行なうためのトナーシール片を提供する。【解決手段】各種電子機器のローラー若しくはドラムの周面の一部に弾力的に密接設置してトナーの漏洩防止を行なうトナーシール片において、発泡樹脂製のシール片本体の上面にポリテトラフルオロエチレンのフイルム若しくは不織布を接着し、上面の一部若しくは全部に傾斜面を形成し、該傾斜面の先端部の厚さを前記隙間の寸法に見合って形成して備えた。【選択図】図１
0003146994.tif 000002
【実用新案登録請求の範囲】
【請求項１】
静電潜像を現像する着色粉体即ちトナーを使用する各種電子機器において配置されたトナー処理関連のローラー若しくはドラムの周面の一部に弾力的かつ密に接触して設置して、主としてトナーの漏洩防止を行なうためのトナーシール片であり、
発泡樹脂製の設定厚で長方形若しくは該長方形の一部を突出した形状のシール片本体の上面にポリテトラフルオロエチレンのフイルム若しくは不織布を接着すると共に、上面の一部若しくは全部をその先端部から後端部に向って傾斜面に形成し、該傾斜面の先端部即ちトナーシール片の先端部の厚さを、ローラー若しくはドラムの周面と取付面との隙間に見合って形成し、また、下面に両面粘着シートの一面を粘着して備えた、
トナーシール片。
【請求項２】
シール片本体の上面にポリテトラフルオロエチレンのフイルム若しくは不織布を接着せず、発泡樹脂のままとしたことを特徴とする、
請求項１のトナーシール片。
【請求項３】
発泡樹脂製の設定厚で長方形若しくは該長方形の一部を突出した形状のシール片本体の、上面の一部若しくは全部に傾斜面を、シール片本体の先端部から後端部に向って切除することによって、若しくは、成形加工することによって、形成したことを特徴とする、
請求項１のトナーシール片。
【請求項４】
剥離紙から剥がし取ったトナーシール片の先端部をローラー若しくはドラムの周面と取付面との隙間に位置せしめると共に、該トナーシール片の上面の傾斜面をローラー若しくはドラムの周面の一部に弾力的かつ密に接触した状態で、下面の両面粘着シートを取付面に粘着して取付けるように備えたことを特徴とする、
請求項１のトナーシール片。
【考案の詳細な説明】
【技術分野】
【０００１】
本考案は、静電潜像を現像する着色粉体即ちトナーを使用する各種電子機器、例えば、プリンター、コピー、ファックス等において配置されたトナー処理関連のローラー若しくはドラムの周面の一部に弾力的かつ密に接触して設置して、主としてトナーの漏洩防止を行なうためのトナーシール片に係り、
【０００２】
該トナーシール片を発泡樹脂製の設定厚で長方形若しくは該長方形の一部を突出した形状のシール片本体の上面にポリテトラフルオロエチレンのフイルム若しくは不織布を接着すると共に、上面の一部若しくは全部をその先端部から後端部に向って傾斜面に形成し、該傾斜面の先端部即ちトナーシール片の先端部の厚さを、ローラー若しくはドラムの周面と取付面との隙間に見合って形成し、下面に両面粘着シートの一面を粘着して設け、該トナーシール片の先端部をローラー若しくはドラムの周面と取付面との隙間に位置せしめると共に、その上面の傾斜面をローラー若しくはドラムの周面の一部に弾力的かつ密に接触した状態で、下面の両面粘着シートを取付面に粘着して取付けるように備えた、トナーシール片に係るものである。
【背景技術】
【０００３】
図４は、従来のトナーシール片の１例の正面図、平面図、左側面図である。
従来のトナーシール片１０１は、発泡樹脂１０３製の設定厚で長方形若しくは該長方形の一部を突出した形状のシール片本体１０２の上面にポリテトラフルオロエチレンのフイルム若しくは不織布１０４を接着すると共に、下面に両面粘着シート１０５の一面を粘着して先端部１０６から後端部１０７まで全体を同じ厚さに設けたものが広く一般的に使用されている。
なお、上記従来のトナーシール片と、本考案のトナーシール片とは、本考案のトナーシール片が上面の一部若しくは全部をその先端部から後端部に向って傾斜面に形成したことを特徴としている他は、両者は略同様である。
【特許文献１】実用新案登録第３１０５８３２号公報
【考案の開示】
【考案が解決しようとする課題】
【０００４】
而して、前記従来のトナーシール片は、その下面の両面粘着シートから剥離紙を剥がし取り、その先端部をローラー若しくはドラムと取付面との隙間に設置すると共に、その上面をローラー若しくはドラムの周面の一部に弾力的かつ密に接触した状態で、下面の両面粘着シートを取付面に粘着して取付けているが、取付手段も、本考案のトナーシール片の場合と同様である。
【０００５】
然るところ、従来のトナーシール材はその先端部から後端部まで全体が同じ厚さであるため、前記のように、トナーシール片を隙間に設置したときに、必然的に先端部付近の発泡樹脂が圧縮された状態となるため、設置したトナーシール片の前記隙間部分における発泡樹脂が当初から潰された状態になって弾力性が減殺されており、よってクックョン性能が低下してトナーシール性能が劣る課題があり、更に、潰されて弾力性に欠け硬くなるため、ローラー若しくはドラムの周面との回転摩擦で発熱を生じ、そのため、トナーシール片が劣化し耐久性を著しく損なう課題があった。
【０００６】
そこで、本考案は、前記従来のトナーシール材のように先端部から後端部の全体を同じ厚さ寸法に設けることを止め、トナーシール材の上面の一部若しくは全部をその先端部から後端部に向って傾斜面に形成し、該傾斜面の先端部即ちトナーシール片の先端部の厚さを、ローラー若しくはドラムの周面と取付面との隙間に見合って形成することによって、
前記のように、従来のトナーシール材の全体が同じ厚さであるため、トナーシール片を隙間に設置したときに、必然的に先端部付近の発泡樹脂が圧縮された状態となり、トナーシール片の前記隙間部分における発泡樹脂が当初から潰された状態になって弾力が減殺され、よってクックョン性能が低下してトナーシール性能が劣る課題、及び、潰されて弾力性に欠け硬くなるため、ローラー若しくはドラムの周面との回転摩擦で発熱を生じ、トナーシール片が劣化し耐久性を著しく損なう課題を、有効に解決することを目的とするものである。
【課題を解決するための手段】
【０００７】
即ち、請求項1の考案は、静電潜像を現像する着色粉体即ちトナーを使用する各種電子機器において配置されたトナー処理関連のローラー若しくはドラムの周面の一部に弾力的かつ密に接触して設置して、主としてトナーの漏洩防止を行なうためのトナーシール片であり、
【０００８】
発泡樹脂製の設定厚で長方形若しくは該長方形の一部を突出した形状のシール片本体の上面にポリテトラフルオロエチレンのフイルム若しくは不織布を接着すると共に、上面の一部若しくは全部をその先端部から後端部に向って傾斜面に形成し、該傾斜面の先端部即ちトナーシール片の先端部の厚さをローラー若しくはドラムの周面と取付面との隙間の寸法に見合って形成し、また、下面に両面粘着シートの一面を粘着して備えたトナーシール片によって課題を解決したものである。
【０００９】
請求項２の考案は、請求項１のトナーシール片において、シール片本体の上面にポリテトラフルオロエチレンのフイルム若しくは不織布を接着せず、発泡樹脂のままとしたことを特徴とする、トナーシール片によって課題を解決したものである。
【００１０】
請求項３の考案は、請求項１のトナーシール片において、発泡樹脂製の設定厚で長方形若しくは該長方形の一部を突出した形状のシール片本体の、上面の一部若しくは全部に傾斜面を、シール片本体の先端部から後端部に向って切除することによって、若しくは、成形加工することによって、形成したことを特徴とする、トナーシール片によって課題を解決したものである。
【００１１】
請求項４の考案は、請求項１のトナーシール片において、剥離紙から剥がし取ったトナーシール片の先端部をローラー若しくはドラムの周面と取付面との隙間に位置せしめると共に、該トナーシール片の上面の傾斜面をローラー若しくはドラムの周面の一部に弾力的かつ密に接触した状態で、下面の両面粘着シートを取付面に粘着して取付けるように備えたことを特徴とする、トナーシール片によって課題を解決したものである。
【考案の効果】
【００１２】
本考案トナーシール片は、トナーシール材の上面の一部若しくは全部をその先端部から後端部に向って傾斜面に形成し、該傾斜面の先端部即ちトナーシール片の先端部の厚さをローラー若しくはドラムの周面と取付面との隙間に見合って形成したため、ローラー若しくはドラムの周面の一部に必要とされる接触状態（弾力的に密着）で、トナーシール片毎のバラつきを生じることなく、熟練を要せずに極めて容易に設置することができ、よって、作業効率及び設置精度を格段に向上し得る多大の効果がある。
【００１３】
また、前記のようにして設置した本考案トナーシール片は、従来のように隙間部分における発泡樹脂が潰された状態になる恐れがなく、よって、発泡樹脂の弾力が減殺されクックョン性能が低下することがないので、極めて良好なトナーシール性能を発揮し得ると共に、従来のように潰されて弾力性に欠け硬くなることがないため、ローラー若しくはドラムの周面との回転摩擦で発熱を生じて耐久性を損なう恐れがない特徴がある。
【考案を実施するための最良の形態】
【００１４】
発泡樹脂製の設定厚で長方形若しくは該長方形の一部を突出した形状のシール片本体の上面にポリテトラフルオロエチレンのフイルム若しくは不織布を接着すると共に、上面の一部若しくは全部をその先端部から後端部に向って傾斜面に形成し、該傾斜面の先端部即ちトナーシール片の先端部の厚さをローラー若しくはドラムの周面と取付面との隙間に見合って形成し、また、下面に両面粘着シートの一面を粘着して備えたトナーシール片。
【実施例１】
【００１５】
図1は、本考案実施例トナーシール片の正面図、平面図、左側面図、図２は、図1のトナーシール片の使用状態を示す説明図である。
【００１６】
符号、１は本考案トナーシール片、２はシール片本体、３は発泡樹脂、４はポリテトラフルオロエチレンのフイルム若しくは不織布、５は両面粘着シート、６は先端部、７は後端部、８は傾斜面、９はローラー若しくはドラム、１０は取付面、１１は隙間である。
【００１７】
本考案トナーシール片１の実施例１を図面（図１、図２）につき説明すると、
静電潜像を現像する着色粉体即ちトナーを使用する各種電子機器、例えば、プリンター、コピー、ファックス等において配置されたトナー処理関連のローラー若しくはドラム９の周面の一部に弾力的かつ密に接触して設置して、主としてトナーの漏洩防止を行なうためのトナーシール片１に係り、
【００１８】
該トナーシール片１を発泡樹脂３製の設定厚で長方形若しくは該長方形の一部を突出した形状のシール片本体２の上面にポリテトラフルオロエチレンのフイルム若しくは不織布４を接着すると共に、上面の一部若しくは全部をその先端部６から後端部７に向って傾斜面８に形成し、該傾斜面８の先端部６即ちトナーシール１片の先端部６の厚さを、ローラー若しくはドラム９の周面と取付面１０との隙間１１に見合って形成し、下面に両面粘着シート５の一面を粘着して設け、該トナーシール片１の先端部６をローラー若しくはドラム９の周面と取付面１０との隙間１１に位置せしめると共に、その上面の傾斜面８をローラー若しくはドラム９の周面の一部に弾力的かつ密に接触した状態で、下面の両面粘着シート５を取付面１０に粘着して取付けるように備えたものである。
【００１９】
上記のトナーシール片１は、必要に応じて、シール片本体２の上面にポリテトラフルオロエチレンのフイルム若しくは不織布４を接着せず、発泡樹脂３のままを上面とする場合もある。
【００２０】
トナーシール片１の傾斜面８の形成手段は適宜であるが、例えば、
シール片本体２の製作当初に発泡樹脂３を成形加工で形成し、若しくは、発泡樹脂３製のシール片本体２の上面の一部若しくは全部をその先端部６から後端部７に向って切除して形成する。
【００２１】
本考案トナーシール片１の取付け設置手段は適宜であるが、例えば、図２に示すように、下面の剥離紙（図示を省く。）を剥がしたトナーシール片１の先端部６をローラー若しくはドラム９の周面と取付面１０との隙間１１に位置せしめると共に、該トナーシール片１の上面の傾斜面８をローラー若しくはドラム９の周面の一部に弾力的かつ密に接触した状態で、下面の両面粘着シート５を取付面１０に粘着して取付けて設置するものである。
【００２２】
本考案トナーシール片は、使用する機器、設置場所、また、メーカー等によって形状、寸法が相違するが、例えば、上記実施例１（図１、図２）のトナーシール片の寸法は、全幅６ｍｍ、全長１０ｍｍ、厚さ（傾斜面を除く）４ｍｍ、先端部の厚さ２ｍｍである。
【実施例２】
【００２３】
図３は、実施例２のトナーシール片の正面図、平面図、左側面図であり、形状、寸法が相違する他は実施例１のトナーシール片と同様であり、その寸法は、全幅１４ｍｍ、全長２５ｍｍ、厚さ（傾斜面を除く）４ｍｍ、先端部の厚さ２ｍｍである。
【産業上の利用可能性】
【００２４】
本考案は、各種電子機器の種類、機種等の相違、メーカー等による各部構成及び組合せ構成の相違、設置位置や形状、寸法の相違等に適応自在であり、よって、それらの相違に拘束されることなく汎用し得る。
【図面の簡単な説明】
【００２５】
【図１】実施例１のトナーシール片の正面図、平面図、左側面図。
【図２】図1のトナーシール片の使用状態を示す説明図。
【図３】実施例２のトナーシール片の正面図、平面図、左側面図。
【図４】従来のトナーシール片の正面図、平面図、左側面図。
【符号の説明】
【００２６】
１  本考案トナーシール片
２  シール片本体
３  発泡樹脂
４  ポリテトラフルオロエチレンのフイルム若しくは不織布
５  両面粘着シート
６  先端部
７  後端部
８  傾斜面
９  ローラー若しくはドラム
１０  取付面
１１  隙間
１０１  従来のトナーシール片
１０２  シール片本体
１０３  発泡樹脂
１０４  ポリテトラフルオロエチレンのフイルム若しくは不織布
１０５  両面粘着シート
１０６  先端部
１０７  後端部
【図１】
0003146994.tif 000003
【図２】
0003146994.tif 000004
【図３】
0003146994.tif 000005
【図４】
0003146994.tif 000006